【事件の表示】
　特許第２７７１４８９号「パチンコ機」の特許に対する特許異議の申立てについて、次のとおり決定する。
【結　論】
　訂正を認める。
　特許第２７７１４８９号の特許を維持する。
【理　由】
（１）手続の経緯
　特許第２７７１４８９号の請求項１に係る発明は、平成２年１１月２８日に特許出願された特願平２−３３３３０８号の一部を平成７年１０月２６日に新たな特許出願としたものであって、平成１０年４月１７日にその特許の設定登録がなされたところ、上田　実より特許異議の申立てがなされ、平成１１年４月２６日付けで取消理由通知がなされ、その指定期間内である平成１１年７月２３日に訂正請求がなされた後、平成１１年１０月１９日付けで取消理由通知（訂正拒絶理由通知を兼用）がなされ、それに対して手続補正書が提出され、更に平成１２年３月２４日付けで訂正拒絶理由通知がなされ、それに対して手続補正書が提出されたものである。
（２）訂正の適否についての判断
ア．訂正請求に対する補正の適否について
　特許権者は、訂正請求書記載の訂正事項を以下のように補正するものである。
　補正事項ａ
　平成１１年７月２３日付け訂正請求書に添付した全文訂正明細書の特許請求の範囲の請求項１の「パチンコ機の外枠前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付けたことを特徴とするパチンコ機。」を、
　「パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付け、しかも、前記ランプ基板（２８）及び前記カバー板（４７）は、前記前枠（２）の裏面に取り付けられた基枠（２２）の上枠部（２２ａ）にビス着されていることを特徴とするパチンコ機。」
と補正する。
　補正事項ｂ　
　訂正請求書に添付した全文訂正明細書の発明の詳細な説明の欄の段落【０００４】の記載
　「【課題を解決するための手段】
　本発明のパチンコ機は、パチンコ機の外枠前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付けたことを特徴とする。」を、
　「【課題を解決するための手段】
　本発明のパチンコ機は、パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付け、
しかも、前記ランプ基板（２８）及び前記カバー板（４７）は、前記前枠（２）の裏面に取り付けられた基枠（２２）の上枠部（２２ａ）にビス着されていることを特徴とする。」
と補正する。
　以上のとおりであるから、当該訂正請求に対する補正は、訂正請求書の要旨を変更するものでなく、特許法第１２０条の４第３項において準用する同法第１３１条第２項の規定に適合する。
イ．訂正の内容　
　訂正事項ａ
　本件特許明細書の特許請求の範囲の請求項１の「前枠の裏面にはこの前枠を貫通して設置される表示灯がセットされたランプ基板を取付け、このランプ基板の近傍にはこのランプ基板をその後側から覆うカバー板を設置し、前枠の前面には前記表示灯をその前側から覆うランプカバーを取付けたことを特徴とするパチンコ機。」を、
　「パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付け、しかも、前記ランプ基板（２８）及び前記カバー板（４７）は、前記前枠（２）の裏面に取り付けられた基枠（２２）の上枠部（２２ａ）にビス着されていることを特徴とするパチンコ機。」
と訂正する。
　訂正事項ｂ
　本件特許明細書の発明の詳細な説明の欄の段落【０００４】の記載
　「【課題を解決するための手段】
　本発明のパチンコ機は、前枠の裏面にはこの前枠を貫通して設置される表示灯がセットされたランプ基板を取付け、このランプ基板（誤記と認めてこのように読み替えた。）の近傍にはこのランプ基板をその後側から覆うカバー板を設置し、前枠の前面には前記表示灯をその前側から覆うランプカバーを取付けた構成を有する。」を、
　「【課題を解決するための手段】
　本発明のパチンコ機は、パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付け、
しかも、前記ランプ基板（２８）及び前記カバー板（４７）は、前記前枠（２）の裏面に取り付けられた基枠（２２）の上枠部（２２ａ）にビス着されていることを特徴とする。」
と訂正する。
　訂正事項ｃ
　本件特許明細書の発明の詳細な説明の欄の段落【０００５】の記載
　「【作用】
　上記した構成を有するパチンコ機において、表示灯がセットされたランプ基板が前枠の裏面に取付けられ、ランプ基板から引出された配線を前枠の後側で接続する配線作業の作業性が向上するとともに、表示灯およびランプ基板が、ランプ基板をその後側から覆うカバー板と、表示灯をその前側から覆うランプカバーとの間に挟まれた状態で設置され、表示灯およびランプ基板がカバー板とランプカバーとによって保護されて表示灯およびランプ基板と他物との接触が防止される。」を、
　「【作用】
　上記した構成を有するパチンコ機において、表示灯がセットされたランプ基板が前枠の上横枠部の裏面に取付けられ、ランプ基板から引出された配線を前枠の上横枠部の後側で接続する配線作業の作業性が向上する。さらに、ガラス扉枠開放表示灯およびランプ基板が、その後側から覆うカバー板と、その前側から覆うランプカバーとの間に挟まれた状態で設置される。このため、ガラス扉枠開放表示灯およびランプ基板がカバー板とランプカバーとによって保護され、これらガラス扉枠開放表示灯およびランプ基板が他物と接触することが防止される。」
と訂正する。
　訂正事項ｄ
　本件特許明細書の発明の詳細な説明の欄の段落【０００６】の記載
　「【発明の効果】
　本発明によれば、ランプ基板が前枠の裏側に設置されるので、ランプ基板から引出された配線をパチンコ機の裏側に設置される制御装置等に接続する配線作業を前枠の裏側で簡単に行うことができ、ランプ基板の配線を前枠の前側から裏側へ引出す煩雑な作業が不要となり、ランプ基板の配線作業を簡易化および能率化してその作業性を良化するこができる。
　また、ランプ基板がその後側の近傍位置に設置されたカバー板によって覆われるので、ランプ基板の結線部をカバー板によって的確に保護することができ、賞球用通路からあふれてこぼれ落ちたパチンコ球等の他物がランプ基板の結線部に接触して回路がショ−トする不具合を未然に防ぐことができる。」を、
　「【発明の効果】
　本発明によれば、ランプ基板が前枠の上横枠部の裏側に設置されるので、ランプ基板から引出された配線をパチンコ機の裏側に設置される制御装置等に接続する配線作業を前枠の上横枠部の裏側で簡単に行うことができ、ランプ基板の配線を前枠の上横枠部の前側から裏側へ引出す煩雑な作業が不要となり、ランプ基板の配線作業を簡易化および能率化してその作業性を良化するこができる。
　また、ランプ基板がその後側の近傍位置に設置されたカバー板によって覆われるので、ランプ基板の結線部をカバー板によって的確に保護することができ、賞球用通路からあふれてこぼれ落ちたパチンコ球等の他物がランプ基板の結線部に接触して回路がショートする不具合を未然に防ぐことができる。」
と訂正する。
イ．訂正の目的の適否、新規事項の有無、及び拡張・変更の存否
　上記訂正事項ａは、特許請求の範囲の減縮を目的とし、上記訂正事項ｂ〜ｄは、特許請求の範囲の訂正に発明の詳細な説明を整合させるものであって、明りょうでない記載の釈明を目的とし、これら訂正事項は、願書に添付した明細書又は図面に記載された事項の範囲内のものであって、実質的に特許請求の範囲を拡張又は変更するものではない。
ウ．独立特許要件の判断
（本件発明）
　本件発明は、平成１２年３月３１日付け手続補正書により補正された平成１１年７月２３日付け訂正請求書により訂正された訂正明細書の請求項１に記載される事項により特定されるとおりのものである（（２）ア．補正事項ａを参照）。
（引用刊行物）
　訂正明細書の請求項１に係る発明（以下、「本件発明」という。）に対して、当審が平成１１年１０月１９日付けの取消理由で引用した刊行物１〜４には、それぞれ以下のとおり記載されている。
　刊行物１：特開平１−１２１０８２号公報
　「従来、遊技場に設置されている遊技機で、たとえばパチンコ遊技機等の弾球遊技機の場合には、ガラス枠や前面枠を施錠するための施錠機構が設けられており、遊技者がガラス枠や前面枠を勝手に開けて不正遊技を行うことを防止せんとしていた。」（第２頁右上欄第７行〜第１２行）、
　「第２図は、パチンコ遊技機が複数台配置されているパチンコ遊技機設置島２ａを示す正面図である。・・・パチンコ遊技機４ａ、４ｂ、４ｃそれぞれには、前面枠２２とガラス枠２４とがそれぞれ開閉自在に設けられている。また前面枠２２の上部には、受信部の一部である受光表示部１０ａが設けられており、・・・さらに、受光表示部１０ａには、ガラス枠開成表示器１８ａが設けられており、ガラス枠開成状態検出器２６ａによる検出出力に基づいてガラス枠２４が開成されていることを点灯表示する。・・・ガラス枠２４が閉成されたときに・・・ガラス枠開成状態検出器２６ａがそれぞれＯＦＦとなり、それに応じて、それぞれの表示器の点灯表示が消灯する。」（第４頁左上欄第４行〜右上欄第１５行）
　刊行物２：実願昭５４−８８１５号（実開昭５５−１０９５７７号）のマイクロフィルム（甲第１号証）
　「パチンコ機の前面枠の表面部に、打球発射装置の作動または打球の流動により表示して斜方向からも確認できるランプ表示部を設けた稼働表示装置。」（実用新案登録請求の範囲）
　「この稼働表示装置９は第２図又は第３図の実施例で示す様に前面枠１に縦長孔１０を開設してステイ１１に取付けたランプ１２を裏側から収納し、縦長孔１０の表面を透明、半透明材質からなって着色又は未着色の表示枠１３で覆い、この表示枠１３の周囲を額縁状固定枠１４で支え、固定枠１４を前面枠１の前面に釘などの止着具１５で止めたものである。表示枠１３は前面枠１の前面に突出し、横断面が山形となる２枚の傾斜板１６，１６を有する。したがって１２が点灯したとき、各傾斜板１６はランプ１２からの光線を拡散したり集束するレンズ作用をなし、パチンコ機の斜方向から或いは横方向からでも点灯状態を確認することができる。」（第３頁第１０行〜第４頁第３行）
　刊行物３：特開昭６４−４３２８４号公報（甲第２号証）
　「パチンコ機の前面枠の表面部に、打球発射装置の作動または打球の流動により表示して斜方向からも確認できるランプ表示部を設けた稼働表示装置。」（実用新案登録請求の範囲）
　「この稼働表示装置９は第２図又は第３図の実施例で示す様に前面枠１に縦長孔１０を開設してステイ１１に取付けたランプ１２を裏側から収納し、縦長孔１０の表面を透明、半透明材質からなって着色又は未着色の表示枠１３で覆い、この表示枠１３の周囲を額縁状固定枠１４で支え、固定枠１４を前面枠１の前面に釘などの止着具１５で止めたものである。表示枠１３は前面枠１の前面に突出し、横断面が山形となる２枚の傾斜板１６，１６を有する。したがって１２が点灯したとき、各傾斜板１６はランプ１２からの光線を拡散したり集束するレンズ作用をなし、パチンコ機の斜方向から或いは横方向からでも点灯状態を確認することができる。」（第３頁第１０行〜第４頁第３行）
　刊行物４：特開平２−２０９１８１号公報（甲第３号証）
　「この情報表示装置７１０には、同図に示すように、パチンコ遊技機７００に取り付けられる基枠７１１と、該基枠７１１の前面側に取り付けられる蓋枠７１２と、該蓋枠７１２の前側中央に取り付けられる反射防止プレート７１３と、その前側左右に取り付けられるレンズ部材７１４，７１４とを備えている。」（第９頁左上欄第５行〜第１１行）
　（対比・判断）
　本件発明と、上記刊行物１〜４に記載された発明とを対比すると、これらの刊行物記載の発明は、本件発明を特定する事項である「前記ランプ基板（２８）及び前記カバー板（４７）は、前記前枠（２）の裏面に取り付けられた基枠（２２）の上枠部（２２ａ）にビス着されている」という構成を備えておらず、また、これを示唆する記載も認められない。本件発明は、上記構成を備えることにより、意見書で主張する「前枠の裏面に対し、基枠、ランプ基板及びランプカバーの３つの部材をそれぞれ個別に位置合わせしながらビスによって取り付ける煩わしさを解消し、前枠の裏面に対するランプ基板及びランプカバーの取付性の向上を図る、ひいてはパチンコ機の組立作業の向上を図る」という顕著な効果を奏するものであるから、本件発明が、上記刊行物１〜４に記載された発明でないことは明らかであり、かつこれらの刊行物記載の発明に基づいて当業者が容易に発明をすることができたものとすることはできない。
　したがって、本件発明は、特許出願の際、独立して特許を受けることができないとすることはできない。
エ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項の規定に適合し、同条第３項で準用する第１２６条第２−４項の規定に適合するので、上記訂正を認める。
（３）特許異議申立てについての判断
ア．本件発明
　本件発明は、平成１２年３月３１日付け補正書により補正された訂正明細書の請求項１に記載される事項により特定されるとおりのものである（（２）ア．補正事項ａを参照）。
イ．申立ての理由の概要
　申立人は、本件発明は、甲第１号証（実願昭５４−８８１５号（実開昭５５−１０９５７７号）のマイクロフィルム）、甲第２号証（特開昭６４−４３２８４号公報）、甲第３号証（特開平２−２０９１８１号公報）に記載された発明に基づいて、当業者が容易に発明をすることができたものであるから、特許法第２９条第２項の規定に該当し、又は甲第３号証に記載された発明であるから、同法第２９条第１項第３号の規定に該当するので特許を受けることができないものであり、同法第１１３条第１項第２号の規定により特許を取り消されるべきと主張している。
ウ．判断
　上記甲１〜３号証（当審で引用した刊行物２〜４）に記載された発明は、本件発明を特定する事項である「前記ランプ基板（２８）及び前記カバー板（４７）は、前記前枠（２）の裏面に取り付けられた基枠（２２）の上枠部（２２ａ）にビス着されている」という構成を備えていないことは、上記（２）ウで述べたとおりであって、本件発明は、これら甲各号証に記載された発明に基づいて、当業者が容易に発明をすることができたものとすることはできず、また、甲第３号証に記載された発明とすることもできない。
エ．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１２年４月６日（２０００．４．６）
【訂正の要旨】
　訂正の要旨
　特許第２７７１４８９号発明の明細書を以下のとおり訂正する。
　訂正事項ａ
　本件特許明細書の特許請求の範囲の請求項１の「前枠の裏面にはこの前枠を貫通して設置される表示灯がセットされたランプ基板を取付け、このランプ基板の近傍にはこのランプ基板をその後側から覆うカバー板を設置し、前枠の前面には前記表示灯をその前側から覆うランプカバーを取付けたことを特徴とするパチンコ機。」を特許請求の範囲の減縮を目的として、
　「パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付け、しかも、前記ランプ基板（２８）及び前記カバー板（４７）は、前記前枠（２）の裏面に取り付けられた基枠（２２）の上枠部（２２ａ）にビス着されていることを特徴とするパチンコ機。」
と訂正する。
　訂正事項ｂ
　本件特許明細書の発明の詳細な説明の欄の段落【０００４】の記載
　「【課題を解決するための手段】
　本発明のパチンコ機は、前枠の裏面にはこの前枠を貫通して設置される表示灯がセットされたランプ基板を取付け、このランプ基板（誤記と認めてこのように読み替えた。）の近傍にはこのランプ基板をその後側から覆うカバー板を設置し、前枠の前面には前記表示灯をその前側から覆うランプカバーを取付けた構成を有する。」を明りょうでない記載の釈明を目的として、
　「【課題を解決するための手段】
　本発明のパチンコ機は、パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバー板を設置し、前記前枠の上横枠部の前面には前記ガラス扉枠開放表示灯をその前側から覆うランプカバーを取付け、しかも、前記ランプ基板（２８）及び前記カバー板（４７）は、前記前枠（２）の裏面に取り付けられた基枠（２２）の上枠部（２２ａ）にビス着されていることを特徴とする。」
と訂正する。
　訂正事項ｃ
　本件特許明細書の発明の詳細な説明の欄の段落【０００５】の記載
　「【作用】
　上記した構成を有するパチンコ機において、表示灯がセットされたランプ基板が前枠の裏面に取付けられ、ランプ基板から引出された配線を前枠の後側で接続する配線作業の作業性が向上するとともに、表示灯およびランプ基板が、ランプ基板をその後側から覆うカバー板と、表示灯をその前側から覆うランプカバーとの間に挟まれた状態で設置され、表示灯およびランプ基板がカバー板とランプカバーとによって保護されて表示灯およびランプ基板と他物との接触が防止される。」を明りょうでない記載の釈明を目的として、
　「【作用】
　上記した構成を有するパチンコ機において、表示灯がセットされたランプ基板が前枠の上横枠部の裏面に取付けられ、ランプ基板から引出された配線を前枠の上横枠部の後側で接続する配線作業の作業性が向上する。さらに、ガラス扉枠開放表示灯およびランプ基板が、その後側から覆うカバー板と、その前側から覆うランプカバーとの間に挟まれた状態で設置される。このため、ガラス扉枠開放表示灯およびランプ基板がカバー板とランプカバーとによって保護され、これらガラス扉枠開放表示灯およびランプ基板が他物と接触することが防止される。」
と訂正する。
　訂正事項ｄ
　本件特許明細書の発明の詳細な説明の欄の段落【０００６】の記載
　「【発明の効果】
　本発明によれば、ランプ基板が前枠の裏側に設置されるので、ランプ基板から引出された配線をパチンコ機の裏側に設置される制御装置等に接続する配線作業を前枠の裏側で簡単に行うことができ、ランプ基板の配線を前枠の前側から裏側へ引出す煩雑な作業が不要となり、ランプ基板の配線作業を簡易化および能率化してその作業性を良化するこができる。
　また、ランプ基板がその後側の近傍位置に設置されたカバー板によって覆われるので、ランプ基板の結線部をカバー板によって的確に保護することができ、賞球用通路からあふれてこぼれ落ちたパチンコ球等の他物がランプ基板の結線部に接触して回路がショートする不具合を未然に防ぐことができる。」を明りょうでない記載の釈明を目的として、
　「【発明の効果】
　本発明によれば、ランプ基板が前枠の上横枠部の裏側に設置されるので、ランプ基板から引出された配線をパチンコ機の裏側に設置される制御装置等に接続する配線作業を前枠の上横枠部の裏側で簡単に行うことができ、ランプ基板の配線を前枠の上横枠部の前側から裏側へ引出す煩雑な作業が不要となり、ランプ基板の配線作業を簡易化および能率化してその作業性を良化するこができる。
　また、ランプ基板がその後側の近傍位置に設置されたカバー板によって覆われるので、ランプ基板の結線部をカバー板によって的確に保護することができ、賞球用通路からあふれてこぼれ落ちたパチンコ球等の他物がランプ基板の結線部に接触して回路がショ−トする不具合を未然に防ぐことができる。」
と訂正する。
（５４）【発明の名称】
パチンコ機
（５７）【特許請求の範囲】
　【請求項１】　パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバ−板を設置し、前記前枠の上横枠部の前面には前記ガラス扉枠開放表示灯をその前側から覆うランプカバ−を取付け、
　しかも、前記ランプ基板（２８）及び前記カバ−板（４７）は、前記前枠（２）の裏面に取り付けられた基枠（２２）の上枠部（２２ａ）にビス着されている
【発明の詳細な説明】
　　【０００１】
　【発明の属する技術分野】
　この発明はパチンコ機に関する。
　　【０００２】
　【従来の技術】
　パチンコ機の本体枠にはゲーム中に当り情報や異常情報等を点灯、点滅表示する表示灯が設置される。
　　【０００３】
　【発明が解決しようとする課題】
　従来では、装飾用ランプ等の表示灯がセットされたランプ基板は本体枠の前枠の前面に取付けられていたので、ランプ基板の配線をパチンコ機の裏側に設置される制御装置に接続する場合に、ランプ基板の配線を前枠に設けられた配線用の貫通孔に挿通して前枠の後側に引き出す作業が必要となり、配線作業が煩雑となっていた。
　また、ランプ基板では、結線用端子等の結線部が露出していると、賞球通路等からこぼれ落ちたパチンコ球等の他物がランプ基板の結線部に誤って接触してランプ基板の回路がショ−トする問題点がある。
　本発明は、表示灯がセットされたランプ基板の配線作業を簡易化し、表示灯およびランプ基板と他物との接触を防ぐことを課題とするものである。
　　【０００４】
　【課題を解決するための手段】
　本発明のパチンコ機は、パチンコ機の外枠の前面に開閉可能に装着された前枠の上横枠部の裏面にはその上横枠部を貫通して配置されるガラス扉枠開放表示灯がセットされたランプ基板を取付け、前記前枠の上横枠部の裏面側には、前記ランプ基板の近傍においてこのランプ基板をその後側から覆うカバ−板を設置し、前記前枠の上横枠部の前面には前記ガラス扉枠開放表示灯をその前側から覆うランプカバ−を取付け、
　しかも、前記ランプ基板（２８）及び前記カバ−板（４７）は、前記前枠（２）の裏面に取り付けられた基枠（２２）の上枠部（２２ａ）にビス着されている
　　【０００５】
　【作用】
　上記した構成を有するパチンコ機において、表示灯がセットされたランプ基板が前枠の上横枠部の裏面に取付けられ、ランプ基板から引出された配線を前枠の上横枠部の後側で接続する配線作業の作業性が向上する。さらに、ガラス扉枠開放表示灯およびランプ基板が、その後側から覆うカバ−板と、その前側から覆うランプカバ−との間に挟まれた状態で設置される。このため、ガラス扉枠開放表示灯およびランプ基板がカバ−板とランプカバ−とによって保護され、これらガラス扉枠開放表示灯およびランプ基板が他物と接触することが防止される。
　　【０００６】
　【発明の効果】
　本発明によれば、ランプ基板が前枠の上横枠部の裏側に設置されるので、ランプ基板から引出された配線をパチンコ機の裏側に設置される制御装置等に接続する配線作業を前枠の上横枠部の裏側で簡単に行うことができ、ランプ基板の配線を前枠の上横枠部の前側から裏側へ引出す煩雑な作業が不要となり、ランプ基板の配線作業を簡易化および能率化してその作業性を良化するこができる。
　また、ランプ基板がその後側の近傍位置に設置されたカバ−板によって覆われるので、ランプ基板の結線部をカバ−板によって的確に保護することができ、賞球用通路からあふれてこぼれ落ちたパチンコ球等の他物がランプ基板の結線部に接触して回路がショ−トする不具合を未然に防ぐことができる。
　　【０００７】
［実施例］
　次に、本発明の一実施例を図面にしたがって説明する。
　パチンコ機の外枠１は木材で方形枠状に形成され、この外枠１の前面には木質合板で額縁状に形成されて外枠１の一側縁の上下端部に前方への回動可能に軸着され、外枠１の前面を開閉する前枠２が施錠可能に取付けられている。
　　【０００８】
　前枠２の前面には窓枠３が前枠２の開口縁に沿って取着され、この窓枠３にはガラスが嵌装されたガラス扉枠４と、このガラス扉枠４の下方に隣設された下方板５とがそれぞれ前方へ回動可能に軸着されている。
　　【０００９】
　下方板５の裏面には遊技球供給機構が組付けられるとともに、下方板５の前面には払出された遊技球を受容する上皿６が取着され、この上皿６には球抜きレバー６ａが付設されている。
　　【００１０】
　前枠２の下端部前面には上皿６上に賞品球が充満したときに賞品球を受容する下皿７が取着され、この下皿７には球抜きレバー７ａが付設されている。
　　【００１１】
　前枠２の下端部の反回動支点側端部には遊技者によって回動操作される操作部８ａを有する操作ハンドル８が取付けられている。
　　【００１２】
　前枠２の前面の上端部には合成樹脂製で横長状のランプケース９が取着され、このランプケース９にはそれぞれ半透明の合成樹脂製で左右端部が丸められたほぼ半円筒状に形成されて横一列に配列された３つのランプカバー１０〜１０がビス着されている。
　　【００１３】
　前枠２の裏面下端部の反回動支点側端部には図１１に示すように発射機構用の取付ベース１２が取着され、この取付ベース１２の一端部にはこの取付ベース１２の後方に垂立されたモータ取付板１３がビス着されている。
　　【００１４】
　モータ取付板１３の裏面には発射モータ１４が取付けられ、この発射モータ１４の出力軸１４ａには発射カム１６が嵌着されている。取付ベース１２には打球ハンマ１７が左右方向への傾動可能に軸支されるとともに、打球ハンマ１７には発射カム１６に弾接されたカムフォロア１７ａと、このカムフォロア１７ａの内方に配設された掛止ローラ１７ｂとがそれぞれ回転可能に軸支されている。
　　【００１５】
　取付ベース１２の内端部付近に貫設された横長状のガイド孔１２ａ内には操作ハンドル８に連繋された掛止部材１８が横方向へのスライド可能に貫挿され、この掛止部材１８と掛止ローラ１７ｂとには打球ハンマ１７が遊技球を打出すときの発射力を設定するコイルばね１９が掛架されるとともに、取付ベース１２の内端部には掛止部材１８を位置決めする調整レバー２０が傾動操作可能にピン着されている。モータ取付板１３の下端に取付けられたケース１３ａ内には発射装置制御基板２１が装入されている。
　　【００１６】
　取付ベース１２には遊技球を単発発射するときに操作される発射装置停止スイッチ３４と、操作ハンドル８の回動操作によってＯＮ，ＯＦＦされるハンドルスイッチとが取付けられるとともに、発射装置制御基板２１には遊技者が操作ハンドル８に触れたときにＯＮとなるタッチスイッチ２１ａが接続されている。
　　【００１７】
　操作ハンドル８を回動操作すると、ハンドルスイッチがＯＮとなって発射モータ１４が１分間に１００回転以内の速度で回転して打球ハンマ１７が反復傾動し、打球ハンマ１７の傾動毎に遊技球が発射される。
　　【００１８】
　前枠２の裏面には不透明の合成樹脂材で正面形状が門形状に形成された上枠部２２ａと、この上枠部２２ａの下端に突合わせ状に連接されて半透明の合成樹脂材で形成された下枠部２２ｂとに分割されて外枠１内に装入された基枠２２が取付けられ、この基枠２２の上枠部２２ａおよび下枠部２２ｂはそれぞれビス２３で前枠２の後面に締着されている。
　　【００１９】
　基枠２２の後部には後方へ突出された段部２５が４周にわたって形成され、この段部２５内には遊技盤２４が後方への取出し可能に嵌込まれている。遊技盤２４の後側にはパチンコ機の諸機能をコントロールするコントロールユニット４８が組付けられている。
　　【００２０】
　基枠２２の段部２５の上端後面の中央部付近と、段部２５の操作ハンドル８側の縦枠部の上端部および下部と、段部２５の下部の中央付近とには図１０、図１１に示すようにそれぞれ段部２５の内壁面２５ａの内外へ出没される掛止部２６ａと、指で回動操作される操作部２６ｂとを有する締め具２６が段部２５の後面と締め具２６の基部との間にゴムブッシュ２６ｃを介座させた状態でそれぞれねじ４４によってこのねじ４４の回りの回動操作可能に取付けられている。基枠２２が外枠１内に装入された状態では掛止部２６ａが段部２５の内壁面２５ａの内方へ突出する方向への締め具２６の回動操作が不能となる。
　　【００２１】
　基枠２２の上枠部２２ａの上端に直立状に突出形成されたランプ基板取付部２７の後側には図９に示すように横長状のランプ基板２８と、このランプ基板２８を覆蓋するカバー板４７とがビス着され、このランプ基板２８の左右端部にはそれぞれランプ基板２８のプリント回路に接続された２個の当り表示灯２９が取付けられるとともに、ランプ基板２８の中央部にはランプ基板２８のプリント回路に接続された１個のガラス扉枠開放表示灯３０が取付けられ、この各表示灯２９，３０は前枠２の上横枠部２ａにそれぞれ貫挿され、両当り表示灯２９は左右の前記ランプカバー１０で覆蔽され、ガラス扉開放表示灯３０は中央のランプカバー１０で覆蔽されている。
　　【００２２】
　基枠２２の下枠部２２ｂの反操作ハンドル８側端部付近には角筒状の上皿口４２が形成されるとともに、基枠２２の下枠部２２ｂの中央部付近下端には下皿口４３が開口され、また、下枠部２２ｂの中央部付近の後面には下皿口４３に連通された箱形状の賞品球受箱４９と、入賞時に効果音等を発生するスピーカ４６とが取付けられている。
　　【００２３】
　基枠２２の下枠部２２ｂの操作ハンドル８側端部付近には図６、図７に示すようにガラス扉枠４の反回動支点側の下側コーナ部に対向して角筒状のスイッチ取付部３１が形成され、このスイッチ取付部３１にはガラス扉枠４の開放を検出するガラス扉枠開放検出スイッチ３２が取付けられ、このガラス扉枠開放スイッチ３２の押ボタン３２ａはガラス扉枠４の閉止時にはガラス扉枠４によって押圧され、ガラス扉枠４が開放されたときには解放されてガラス扉枠開放検出スイッチ３２の検出信号でガラス扉枠開放表示灯３０が点灯する。スイッチ取付部３１の下方には複数個のコネクタ１４７ａを備えた中継プリント基板１４７が取付けられている。
　　【００２４】
　基枠２２の下枠部２２ｂの前面下部には図７、図８に示すように合成樹脂製で発射レール用の第１セット基板３７が取付けられ、この第１セット基板３７の前面には斜め方向へ配列された３つの取付ボス３７ａが突設されるとともに、第１セット基板３７の中央部付近および外端部の下端には前記遊技球供給機構に連繋された下搖動レバー３８Ａと、この下搖動レバー３８Ａに連繋された上搖動レバー３８Ｂとがそれぞれ搖動可能に軸支され、さらに、第１セット基板３７の外端部の上部には遊技球供給機構から供給された遊技球を受止める球止め片３９がビス着されている。
　　【００２５】
　第１セット基板３７の前面には上面の縦断面形状が扁平Ｖ形状で上面の側面形状がサイクロイド曲線状に若干湾曲されたレール部４０ａと、このレール部４０ａの前後端縁の中央部および内外端部にそれぞれ連接されて下方へ突出された前後３対の取付片４０ｂ，４０ｃとを有する発射レール４０が各取付ボス３７ａを介して位置決めされて傾斜状に取付けられている。
　　【００２６】
　発射レール４０の後側の各取付片４０ｂには取付ボス３７ａが貫挿された後孔４５Ｂが貫設され、前側の各取付片４０ｃは取付ボス３７ａの前端面にそれぞれ当接され、この前側の各取付片４０ｃには後孔４５Ｂより小径の前孔４５Ａが貫設されている。
　　【００２７】
　発射レール４０は中央部の前側取付片４０ｃの前孔４５Ａを貫通して中央部の取付ボス３７ａに螺嵌された取付ねじ４１によって第１セット基板３７に取着されるとともに、第１セット基板３７は両端部の前側取付片４０ｃ、および、両端の取付ボス３７ａを貫通してそれぞれ下枠部２２ｂにねじ止めされた取付ねじ４１によって発射レール４０とともに下枠部２２ｂに組付けられ、発射レール４０の基端は球止め片３９の斜め下方に配設され、発射レール４０の先端は遊技盤２４のレール２４ａの基端部に対置されている。
　　【００２８】
　基枠２２の後側には中央部に開口部５０ａが開口された合成樹脂製のベース板５０が取外し可能に組付けられている。このベース板５０は基枠２２の段部２５の反操作ハンドル８側縦枠部に取着されて通し孔を有するヒンジヒメール５１Ａと、縦枠部５０ｂの外側面に取着されてヒンジヒメール５１Ａの通し孔内に上方への脱出可能に嵌挿されたピンを有する上下１対のヒンジメール５１Ｂとを介して基枠２２に後方への回動可能に支持されている。
　　【００２９】
　ベース板５０の端縁部には各締め具２６の掛止部２６ａにそれぞれ掛脱される掛合部５２が各締め具２６に対向してそれぞれ形成され、ベース板５０は各掛合部５２が各締め具２６で掛止されてベース板５０と基枠２２との間に遊技盤２４を挟持した状態で各締め具２６によって基枠２２に解放可能に押止されている。ベース板５０には賞品球が流通する賞品球流路がベース板５０の上端から下端にわたって形成されている。
　　【００３０】
　ベース板５０の上横板５０ｃの裏面には賞品球を貯留するための方形箱形状の球タンク５５が上方への取外し可能に取付けられ、この球タンク５５の底板５５ａは外方へ下傾した傾斜状に形成され、この底板５５ａの外端には球出口５５ｂが開口されている。
　　【００３１】
　ベース板５０の上横板５０ｃの後面には図１に示すように球タンク５５の球出口５５ｂの下方に配設されて賞品球供給および球切れ検出機構が装着された第２セット基板６５が間隙を隔てて取付けられている。
　　【００３２】
　この第２セット基板６５の前面の中央部付近にはほぼ扇形状の基部５６ａと、内方へ延出されたレール部５６ｂと、レール部５６ｂの内端に連接されて下方へ延出された円弧状のシャッタ部５６ｃとを有し、上下方向への搖動可能に軸支されたタンクレール（作動部材）５６が取付けられている。このタンクレール５６はスプリング６２によってレール部５６ｂが上方へ搖動する方向へ付勢されている。
　　【００３３】
　タンクレール５６の基部５６ａに上端部が連結されて垂下された連結片５７の下端部には前記上搖動レバー３８Ｂに下端部が繋止された連結ロッド５４の上端部が繋止されている。
　　【００３４】
　タンクレール５６の基部５６ａの後面にはタンクレール５６の搖動支点を中心とする円弧曲線上に隣接して配設されて異色（緑色と赤色）に着色された円形の第１非作動マーク５８Ａおよび第１作動マーク５８Ｂが表示されている。所定数以上の賞品球がタンクレール５６のレール部５６ｂ上に積載されている場合にはレール部５６ｂがスプリング６２に抗して下方へ搖動し、レール部５６ｂ上の賞品球が不足すると、レール部５６ｂが上方へ復帰搖動する。
　　【００３５】
　第２セット基板６５の前面外端には前後方向へ密接状態で配列された３つの賞品球切れ検出スイッチ５９がスイッチ基板５９ａを介して取付けられるとともに、第２セット基板６５の前面の外端付近には各賞品球切れ検出スイッチ５９に対向して垂下された押え部６０ａと、タンクレール５６の基部５６ａに向って下傾状に延出された検出部６０ｂとを有し、内外方向への搖動可能に軸支されたスイッチ押え（作動部材）６０が取付けられている。
　　【００３６】
　賞品球がタンクレール５６上に積載された正常状態ではスイッチ押え６０が外方へ搖動して各賞品球切れ検出スイッチ５９の触動片５９ｂが押圧され、タンクレール５６上に賞品球が欠乏した異常状態ではスイッチ押え６０が内方へ搖動して各賞品球切れ検出スイッチ５９の触動片５９ｂが解放される。
　　【００３７】
　スイッチ押え６０の検出部６０ｂの下端に突設された突片６０ｃの後面にはスイッチ押え６０の搖動支点を中心とする円弧曲線上に隣接して配設されて異色（緑色と赤色）に着色された円形の第２非作動マーク６１Ａおよび第２作動マーク６１Ｂが表示されている。
　　【００３８】
　第２セット基板６５の外端付近の下部には第１非作動マーク５８Ａ、第１作動マーク５８Ｂ、および、第２非作動マーク６１Ａ、第２作動マーク６１Ｂにそれぞれ対向して丸孔状の透視窓６５ａ，６５ｂが開設されている。
　　【００３９】
　タンクレール５６のレール部５６ｂが下方へ搖動した正常状態では緑色の第１非作動マーク５８Ａが透視窓６５ａを通じて透視され、レール部５６ｂが上方へ搖動した異常状態では赤色の第１作動マーク５８Ｂが透視窓６５ａを通じて透視され、タンクレール５６上の賞品球の不足の有無を第１非作動マーク５８Ａ、第１作動マーク５８Ｂによって判別することができる。
　　【００４０】
　スイッチ押え６０が外方へ搖動した正常状態では緑色の第２非作動マーク６１Ａが透視窓６５ｂを通じて透視され、球タンク５５内の賞品球が欠乏してスイッチ押え６０が内方へ搖動し、各賞品球切れ検出スイッチ５９の触動片５９ａが解放された異常状態では赤色の第２作動マーク６１Ｂが透視窓を通じて透視され、賞品球の欠乏の有無を第２非作動マーク６１Ａ、第２作動マーク６１Ｂによって判別することができる。
　　【００４１】
　ベース板５０の上横板５０ｃの後面には基端が第２セット基板６５の内端に結合されて反球タンク５５側へ下傾する球レール６３が傾斜状に取付けられ、この球レール６３内にはその幅方向の中央部に長手方向に沿って立設された隔壁６３ａによって仕切られた前後の球通路が並設されている。
　　【００４２】
　ベース板５０の上横板５０ｃには球レール６３の長手方向の中央部の上方に左右方向への搖動可能に垂下された前後１対の球ならし振子６４がビス着されている。
　　【００４３】
　ベース板５０の回動支点側の縦板５０ｂにはこの縦板５０ｂの後面に添設されて後方開放の縦長箱形状に形成された第３セット基板７１と、この第３セット基板７１の上部に突合わせ状に覆設されて前方および下方開放の箱形状に形成された上カバー７２と、第３セット基板７１の下部に突合わせ状に覆設された下カバー７３とを有する賞品球ケース７０が組付けられている。
　　【００４４】
　第３セット基板７１の後面端部には図２に示すように球レール６３の前側賞品球通路の先端から転落した賞品球を下方へ誘導する上樋部７５が突出形成されるとともに、この上樋部７５の後面には球レール６３の後側賞品球通路の先端から転落した賞品球を下方へ誘導する上樋カバー７６が突合せ状に覆設され、上樋カバー７６の後壁板下部には通し窓７６ａが開設されている。
　　【００４５】
　第３セット基板７１の上端と、上樋カバー７６の後壁板の中央部付近との間に横架された支軸７７には賞品球の欠乏時に賞品球の払出しを禁止する前球切れストッパ（作動部材）７８と後球切れストッパ（作動部材）７９とがそれぞれ内外方向への搖動可能に嵌装されて吊支され、両球切れストッパ７８，７９の下端には係止部７８ａ，７９ａがそれぞれ形成されている。
　　【００４６】
　前球切れストッパ７８の後面下部には後球切れストッパ７９の下部に貫設された円弧孔状の逃し孔７９ｂおよび前記通し窓７６ａを貫通して後方へ並行状に突出され、支軸７７を中心とする円弧曲線上に配設された軸心を有する内外１対の丸棒状の上表示棒８０，８０が並設され、この両表示棒８０の後端面には異色（緑色と赤色）に着色された円形の第３非作動マーク８１Ａおよび第３作動マーク８１Ｂが表示されている。
　　【００４７】
　後球切れストッパ７９の後面下端には前記通し窓７６ａを貫通して後方へ並行状に突出され、支軸７７を中心とする円弧曲線上に配設された軸心をそれぞれ有する内外１対の下表示棒８２，８２が並設され、この両下表示棒８２の後端面には異色（緑色と赤色）に着色された円形の第４非作動マーク８３Ａおよび第４作動マーク８３Ｂが表示されている。
　　【００４８】
　賞品球ケース７０内の上部に装入されてベース板５０の後側に装着された払い出し球数設定および賞品球払出し機構（図３、図１２〜図１４参照）において、第３セット基板７１の後面上部には４つの透明の合成樹脂板を前後方向へ並着して形成された賞品球収容フレーム８５が取付けられ、この賞品球収容フレーム８５の下端には内支軸１０９と外支軸１１０とが前後方向に沿って並行状に横架されている。
　　【００４９】
　賞品球収容フレーム８５には賞品球の通過可能な間隙を隔てて並設された内外１対の壁部８６，８７がそれぞれ垂直状に形成され、この両壁部８６，８７間の中央部には両壁部８６，８７の内壁面に直交状に連接されて両壁部８６，８７の間隙を前後の賞品球室８８に区画する隔壁が垂直状に形成されている。
　　【００５０】
　内壁部８６の中央部付近には上下方向へ等間隔で配列されて隔壁を隔てて並設された前後各１対の内通し窓８９が貫設され、各内通し窓８９の下窓縁には外方へ上傾するガイド面８９ａがそれぞれ形成されている。外壁部８７の下部には上下方向へ等間隔で配列されて隔壁を隔てて並設された前後各１対の外通し窓９０が貫設され、各外通し窓９０の下窓縁には内方へ上傾するガイド面９０ａがそれぞれ形成されている。
　　【００５１】
　賞品球収容フレーム８５の内端部には縦長状の内昇降板９１が垂直状で昇降動可能に支持され、この内昇降板９１の上端には前記両球切れストッパ７８，７９の係止部７８ａ，７９ａに対向して係合片９１ａが垂直状に形成され、両球切れストッパ７８，７９の一方若しくは両方が外方へ搖動したときには係合片９１ａが係止部７８ａ若しくは７９ａに突当って内昇降板９１の上昇が阻止される。
　　【００５２】
　内昇降板９１の内外面にはそれぞれ上下方向へ等間隔で配列されて前方および後方へそれぞれ同心状に横出された前後各１対（本例では４対）の円筒状の取付片９２〜９２が突設され、この各取付片９２の中心部にはビス９３の螺進によってねじ溝を刻設することが可能なねじ孔９２ａがそれぞれ貫設されている。内昇降板９１の下端付近には後方へ水平状に延出された規制ピン９１ｂの基端部が挿着されている。
　　【００５３】
　内昇降板９１には前後取付片９２にそれぞれ搖動可能で選択的に取付けられてビス９３で抜け止めた前後１対の内球止め片９４が付設され、両内球止め片９４の先端部は外方へ上傾状に延出されてその両内球止め片９４の上外方の両内通し窓８９のガイド面８９ａ上にそれぞれ載置されている。
　　【００５４】
　内昇降板９１が下降した状態では両内球止め片９４の先端部が前後賞品球室８８内からそれぞれ退避し、内昇降板９１が上昇したときには両内球止め片９４の先端部が前後賞品球室８８内へそれぞれ突入して賞品球に突当たり、この両内球止め片９４の先端部が突当った賞品球およびその賞品球より上位の各賞品球の落下が阻止され、両内球止め片９４の先端部が突当った賞品球より下位に配列された各賞品球の落下が許容される。
　　【００５５】
　賞品球収容フレーム８５の外端には縦長状の外昇降板（作動部材）９５が垂直状で昇降動可能に支持され、この外昇降板９５の内外面にはそれぞれ上下方向へ等間隔で配列されてそれぞれ前方および後方へ同心状に横出された前後各１対（本例では３対）の円筒状の取付片９６〜９６が突設され、この各取付片９６の中心部にはビス９７の螺進によってねじ溝を刻設することが可能なねじ孔９６ａがそれぞれ貫設されている。
　　【００５６】
　外昇降板９５には前後取付片９６にそれぞれ搖動可能で選択的に取付けられてビス９７で抜け止めされかつ両内球止め片９４より下方位置に配設された前後１対の外球止め片９８が付設され、両外球止め片９８の先端部は上内方へ上傾状に延出されてその両外球止め片９８の内方の両外通し窓９０のガイド面９０ａ上にそれぞれ載置されている。
　　【００５７】
　賞品球収容フレーム８５の外端の上部には作動軸１００ａと、この作動軸１００ａを下方へ付勢するスプリング１００ｂとを有する外昇降板駆動ソレノイド１００が挟持され、この外昇降駆動ソレノイド１００の作動軸１００ａの先端は外昇降板９５の上端に形成された係止部９５ａに共動可能に係止されている。
　　【００５８】
　外昇降板駆動ソレノイド１００が消磁されて外昇降板９５がスプリング１００ｂの弾発力によって下降した状態では両外球止め片９８の先端部は前後賞品球室８８内からそれぞれ退避し、前後賞品球室８８内の各賞品球に対する落下規制が解除される。
　　【００５９】
　内昇降板９１の上昇と同期して外昇降板駆動ソレノイド１００が励磁されて外昇降板９５が上昇したときには両外球止め片９８の先端部が前後賞品球室８８内へそれぞれ突入して特定の賞品球に突当たり、両外球止め片９８の先端部が突当った賞品球およびその賞品球より上位の各賞品球の落下が阻止され、両外球止め片９８の先端部が突当った賞品球より下位に配列された各賞品球の落下が許容される。
　　【００６０】
　両内球止め片９４および両外球止め片９８を内外昇降板９１，９５に取付ける位置によって賞品球室８８内から放出する払出し球数を変更することができ、両内球止め片９４の取付位置によって第１の払出し球数（本例では１５個）が設定され、両外球止め片９８の取付位置によって第２の払出し球数（本例では７個）が設定される。
　　【００６１】
　両内球止め片９４および両外球止め片９８を規定された取付片９２，９６にそれぞれ取付けて第１および第２の払出し球数を一旦設定した以後に払出し球数を故意に変更した場合にはその変更前に各球止め片９４，９８が取付けられていた各取付片９２，９６のねじ孔９２ａ，９６ａにはそれぞれねじ溝状の痕跡が刻設されるので、ねじ溝状の痕跡の有無によって払出し球数の変更の有無を判別することができる。また、変更の有無の判別をより明確にするために各取付片９２，９６のねじ孔９２，９６ａにペイント、ねじロック等を塗布してもよい。
　　【００６２】
　外昇降板９５の上部後面にはそれぞれ後方へ水平状に延出された１対の丸棒状の表示棒１０１，１０１が上下に隣接して突設され、この両表示棒１０１の後端面には異色（緑色と赤色）に着色された円形の第５非作動マーク１０２Ａおよび第２作動マーク１０２Ｂが表示されている。
　　【００６３】
　賞品球収容フレーム８５の内支軸１０９には内昇降板９１の規制ピン９１ｂに対向して上方へ突出された作動片１０３ａと、外下方へ延出されて前後賞品球室８８の下端の放出口８８ａを開閉する弁体１０３ｂとを有する放出弁（作動部材）１０３が内外方向への搖動可能に嵌装支持され、この放出弁１０３の作動片１０３ａの後面には内支軸９１を中心とする円弧曲線上に配置されて異色（緑色と赤色）に着色された円形の第６非作動マーク１０４Ａおよび第６作動マーク１０４Ｂが表示されている。
　　【００６４】
　放出弁１０３はフリー状態では弁体１０３ｂが放出弁１０３の自重によって放出口８８ａを閉止した姿勢で保持される。内昇降板９１が下降した状態では放出弁１０３の作動片１０３ａが規制ピン９１ｂに当接して放出弁１０３の搖動動作が規制され、弁体１０３ｂが放出口８８ａを閉止して前後賞品球室８８内の各賞品球の落下を防止し、一方、内昇降板９１が上昇したとき、および、内外昇降板９１，９５が同期して上昇したときには作動片１０３ａの搖動規制が解除されて弁体１０３ｂが前後賞品球室８８内の賞品球の重量で押下げられて前後賞品球室８８の下端が開放され、両内球止め片９４で落下を阻止された賞品球より下位の賞品球若しくは両外球止め片９８で落下を阻止された賞品球より下位の賞品球が放出口８８ａを通じて放出される。
　　【００６５】
　賞品球収容フレーム８５の外支軸１１０にはほぼ半円形板状の作動片１０６ａと、放出弁１０３の弁体１０３ｂの先端に向って延出された弁体１０６ｂとを有し、放出弁１０３の外方に隣設された球抜き弁（作動部材）１０６が内外方向への搖動可能に支持され、この球抜き弁１０６の作動片１０６ａの上端には係止部１０６ｃが切欠き形成されるとともに、作動片１０６ａの後面には外支軸１１０を中心とする円弧曲線上に配置されて異色（緑色と赤色）に着色された円形の第７非作動マーク１０７Ａ、第７作動マーク１０７Ｂが表示されている。
　　【００６６】
　賞品球収容フレーム８５の上端付近には図１３に示すように上方へ突出されてスプリング１５９で外方へ付勢された垂立片１０８ａと、この垂立片１０８ａの下端に連接されて外方へ水平状に延出された延出片１０８ｂと、この延出片１０８ｂに長手方向への伸縮可能に結合された可動片１０８ｃとを有する搖動レバー１０８が搖動可能に軸支されている。
　　【００６７】
　可動片１０８ｃの外端には基枠２２の段部２５の縦枠部２５ｂの後面に上下動操作可能に取付けられた操作棒１１１の上端が繋止されている。
　　【００６８】
　延出片１０８ｂの中央部付近には下端部が球抜き弁１０６の係止部１０６ｃに係合された係止棒１１２の上端が連結されている。放出弁１０３が放出口８８ａを閉止した状態で操作棒１１２を押上げて搖動レバー１０８を上方へ搖動させたときには係止棒１１２の下端と球抜き弁１０６の係止部１０６ｃとの係合状態が解除されて球抜き弁１０６が解放され、弁体１０６ｂが放出弁１０３で受止められた両賞品球室８８内の各賞品球によって外方へ押出されて放出口８８ａが開放され、球タンク５５内および賞品球ケース７０内の全賞品球が放出口８８ａを通じて放出される。
　　【００６９】
　賞品球ケース７０の上カバー７２の後板７２ａの上端付近には前記第３非作動マーク８１Ａ、第３作動マーク８１Ｂおよび第４非作動マーク８３Ａ、第４作動マーク８３Ｂにそれぞれ対向して透視窓７２ｂ，７２ｃが貫設されるとともに、上カバー７２の後壁板７２ａの下部付近には第５非作動マーク１０２Ａ、第５作動マーク１０２Ｂと、第６非作動マーク１０４Ａ、第６作動マーク１０４Ｂと、第７非作動マーク１０７Ａ、第７作動マーク１０７Ｂとにそれぞれ対向して丸孔状の透視窓７２ｄ，７２ｅ，７２ｆが貫設されている。
　　【００７０】
　賞品球ケース７０内の上樋部７５と上樋カバー７６との間の前後賞品球通路内に賞品球が充填されて両球切れストッパ７８，７９が内方へ搖動したときには緑色の第３非作動マーク８１Ａおよび第４非作動マーク８３Ａが両透視窓７２ｂ，７２ｃを通じて透視され、両球切れストッパ７８，７９の両方若しくは一方が外方へ搖動したときには赤色の第３作動マーク８１Ｂ、第４作動マーク８３Ｂの両方若しくは一方が両透視窓７２ｂ，７２ｃを通じて透視され、両球切れストッパ７８，７９の搖動動作の有無を各マーク８１Ａ，８１Ｂ，８３Ａ，８３Ｂによって判別することができる。
　　【００７１】
　内昇降板９１が下降して放出弁１０３の搖動が規制された定常状態では緑色の第６非作動マーク１０４Ａが透視窓７２ｅを通じて透視され、内昇降板９１が上昇して検出弁１０３が搖動し、第１の払出し球数分の賞品球が両賞品数室８８内から放出されるときには赤色の第６作動マーク１０４Ｂが透視窓７２ｅを通じて透視され、放出弁１０３の搖動動作の有無を判別することができる。
　　【００７２】
　内外昇降板９１，９５が共に下降した定常状態では緑色の第５非作動マーク１０２Ａが透視窓７２ｄを通じて透視され、内外昇降板９１，９５が共に上昇して第２の払出し球数分の賞品球が両賞品球室８８内から放出されるときには赤色の第５作動マーク１０２Ｂが透視窓７２ｄを通じて透視され、外昇降板９５の昇降動作の有無を両マーク１０２Ａ，ｌ０２Ｂによって判別することができる。
　　【００７３】
　球抜き弁１０６の搖動動作が規制されて球抜き弁１０６が放出口８８ａを閉塞している定常状態では緑色の第７非作動マーク１０７Ａが透視窓７２ｆを通じて透視され、球抜き弁１０６が搖動して両賞品球ケース７０内の賞品球が全て放出される場合には赤色の第７作動マーク１０７Ｂが透視窓７２ｆを通じて透視され、球抜き弁１０６搖動動作の有無を両マーク１０７Ａ，１０７Ｂによって視認することができる。
　　【００７４】
　賞品球ケース７０の第３セット基板７１の下部には図１１、図１５に示すように賞品球払出し制御機構が装着された第４セット基板１１７が並着され、この第４セット基板１１７の下端後面には遊技機に電源を投入したときに始動する賞品球払出しモータ１１５が前向き状に取着されるとともに、第４セット基板１１７の上部後面には中継基板１１４が取着されている。
　　【００７５】
　賞品球払出しモータ１１５の出力軸１１５ａには１２０°の回転対称位置に配設された３つの球送り片１１６ａを有する球切りカム１１６が第３セット基板７１の下端に開口されたセーフ球導入口１１８およびセーフ球送出口１１９に対向して嵌着されている。
　　【００７６】
　セーフ球導入口１１８は遊技盤２４の入賞口へ落入して遊技盤２４の後側から下方へ転落したセーフ球を第３セット基板７１側へ誘導するためにベース板５０の下横板５０ｄの下端に形成されたセーフ球誘導樋の先端に対置されている。
　　【００７７】
　第３セット基板７１の下端と第４セット基板１１７の下端との間にはセーフ球送出口１１９の若干上方に配設された放出作動片１２０が回動可能に軸支され、この放出作動片１２０の下部には球切りカム１１６の若干前方でセーフ球導入口１１８の内方に隣設された係合部１２０ａが突出形成されるとともに、放出作動片１２０の内端部に突設された内突片１２０ｂには第３セット基板７１に垂直状に添設されて上端が内昇降板９１の下端に繋止された連結ロッド１２１の下端が連動可能に繋止され、さらに、放出作動片１２０の上端には上突片１２０ｃが形成されている。
　　【００７８】
　第４セット基板１１７の下部後面に垂直状に組付けられたスイッチ基板１２２には前後方向へ密接状態で配列された３つの賞品球払出し検出スイッチ１２３が取付けられている。
　　【００７９】
　第３セット基板７１の下端部と第４セット基板１１７の下部との間に各賞品球払出し検出スイッチ１２３に対向して垂下状態で内外方向への搖動可能に軸支されてスプリング１２５で賞品球払出し検出スイッチ１２３側へ付勢されたスイッチ作動レバー１２４の中央部付近には各賞品球払出し検出スイッチ１２３の各触動片１２３ａに弾接された押動部１２４ａが突出形成されるとともに、スイッチ作動レバー１２４の下端には内端部が放出作動片１２０の上突片１２０ｃに繋止された連結ロッド１２６の外端部が連動可能に繋止されている。
　　【００８０】
　セーフ球が遊技盤２４の１５個獲得入賞口へ入球してセーフ球導入口１１８を通過すると、このセーフ球が定常回転中の球切りカム１１６の球送り片１１６ａで受止められるとともに、放出作動片１２０の係合部１２０ａと係合し、放出作動弁１２０が球切りカム１１６の係合部１２０とともに円弧移動するセーフ球によって球切りカム１１６の回転方向と反対方向へ回動する。
　　【００８１】
　放出作動片１２０が回動すると、連結ロッド１２１が上動して内昇降板９１が上昇し、かつ放出弁１０３が搖動して両賞品球室８８内で両内球止め片９４より下位に配列された第１の払出し球数分の１５個の賞品球が払出されてから復帰搖　動するとともに、払出しの開始と同時にスイッチ作動レバ１２４が搖動し、賞品球払出し検出スイッチ１２３がＯＮとなって払出し動作開始を検出する。
　　【００８２】
　球切りカム１１６の球送り片１１６ａで受止められて放出作動片１２０とともに円弧移動したセーフ球が球切りカム１１６および放出作動片１２０から解放されてセーフ球送出口１１９を通じて送出されると、放出作動片１２０が解放されてスプリング１２５の弾発力で元の姿勢に復帰回動し、連結ロッド１２１が下動して内昇降板９１が下降し、放出弁１０３によって放出口８８ｅが閉塞された両賞品球室８８へ賞品球が再充填されるとともに、賞品球払出し検出スイッチ１２３がＯＦＦとなって払出し動作の検出を中止する。
　　【００８３】
　セーフ球が遊技盤２４の７個獲得入賞口内へ落入すると、遊技盤２４に設置された７個獲得入賞スイッチがＯＮとなってその入賞回数がコントロールユニット４８によって記憶されるとともに、そのセーフ球によって前記と同様に放出作動片１２０が回動して内昇降板９１が上昇しかつ賞品球払出し検出スイッチ１２３がＯＮとなって払出し動作開始を検出する。
　　【００８４】
　この検出の時点で７個獲得入賞が既に記憶されている場合には外昇降板駆動ソレノイド１００が励磁されて外昇降板９５が上昇し、両賞品球室８８内で両外球止め片９８より下位に配列された第２の払出し球数分の７個の賞品球が払出される。
　　【００８５】
　７個の賞品球の払出し後内昇降板９１が下降しかつ放出作動片１２０が復帰回動して賞品球払出し検出スイッチ１２３がＯＦＦとなった時点で、外昇降板駆動ソレノイド１００が消磁されて外昇降板９５が下降し、両賞品球室８８内へ賞品球が再充填される。
　　【００８６】
　７個払出し動作が終了した時点でコントロールユニット４８で記憶された７個獲得入賞回数のカウント数が１つ減少する。この７個払出し動作はカウント数が０となるまで連続的に繰返されるとともに、７個払出し動作は１５個払出し動作より優先され、セーフ球から１５個獲得入賞口および７個獲得入賞口へ連続的に入球した場合には７個払出し動作が全て完了してから１５個払出し動作に移行する。
　　【００８７】
　ベース板５０の下横板５０ｄの後面にビス着された球送りケース１２７の前面には図１１に示すように賞球ケース７０のセット板７１の側面下部に開口された球出口７１ａから流出した賞品球を内下方へ誘導して上ベル１４４に衝突させる上誘導樋１２８と、この上誘導樋１２８の内端から転落した賞品球を外下方へ誘導する中誘導樋１２９と、基枠２２の上皿口４３に対向して前方へ水平状に延出されて中誘導樋１２９の外端から転落した賞品球を受止める受止め板１３０と、この受け止め片１３０上からオーバーフローした賞品球を内下方へ誘導して下ベル１４５に衝突させてから賞品球受箱４９内へ導入する下誘導樋１３１とが突出形成されている。
　　【００８８】
　球送りケース１２７の下端部の前側で下誘導樋１３１の下方には下皿７上に賞品球が充満したときに賞品球の払出しを禁止する信号をコントロールユニットに伝送する賞品球払出し禁止スイッチ１３５と、この賞品球払出し禁止スイッチ１３の内方に内外方向への搖動可能に軸支されたスイッチ押え１３６とが取付けられている。
　　【００８９】
　基枠２２の下枠板２２ｂの裏面の反操作ハンドル８側端部には中継プリント基板１４７および賞品球払出し禁止スイッチ１３５およびスピーカ４６にリード線を介して接続されたコネクタ１４６ｃを備え、発射モータ１４および賞品球払出しモータ１１５を起動および停止させるリレー１４６ａ，１４６ｂが組込まれた防犯基板１４６が取着され、ガラス扉枠開放検出スイッチ３２がガラス扉枠４の開放を検出すると、コントロールユニット４８から検出信号が送られてリレー１４６ａ，１４６ｂが作動し、発射モータ１４および賞品球払出しモータ１１５がそれぞれ停止する。
　　【００９０】
　また、下皿７上に遊技球が充満すると、賞品球払出し禁止スイッチ１３５がＯＮとなって防犯基板１４６の両リレー１４６ａ，１４６ｂが作動し、発射モータ１４および賞品球払出しモータ１１５がそれぞれ停止する。
　　【００９１】
　さらに、前記タンクレール５６上の賞品球が不足すると、前記賞品球切れ検出スイッチ５９がＯＮとなって防犯基板１４６の両リレー１４６ａ，１４６ｂが作動し、発射モータ１４および賞品球払出しモータ１１５がそれぞれ停止するとともに、ベース板５０の上端にランプ基板１４９を介して取付けられた賞品球払出し兼賞品球切れ表示灯１３３が点灯する。
　　【００９２】
　ベース板５０の上横板５０ｃの回動支点側端部には図１、図１６に示すように賞品球ケース７０の上方に配設されてベース板５０の内部配線と外部配線とを中継する中継器１３７が賞品球払出し兼球切れ表示灯１３３に対向して取付けられている。
　　【００９３】
　中継器１３７の端子ボックス１４０内には外部端子基板１３８が装入されるとともに、端子ボックス１４０の上端部、下端部、内端部には外部端子基板１３８の後面に取付けられた複数個のコネクタ１３９を介して外部端子基板１３８のプリント回路に接続されたリード線束を挿通保持するために挿通口の幅が狭縮されたリード線束保持部１４０ａ〜１４０ａがそれぞれ形成されている。
　　【００９４】
　外部端子基板１３８の後面にはこの外部端子基板１３８のプリント回路に接続されて横方向へ配列された上下４対の外部接続端子１４２が固着されるとともに、端子ボックス１４０の後壁板１４０ｂには各外部接続端子１４２にそれぞれ接続される外部リード線１３４の裸線部１３４ａを挿通するための４対のリード線挿通口１４１が各外部接続端子１４２にそれぞれ対向して開設され、さらに、後壁板１４０ｂには外部リード線１３４の裸線部１３４ａを外部接続端子１４２に解離可能に圧接させるためにそれぞれ外部接続端子１４２側へばねで付勢されて上方若しくは下方へ指で押動操作されるつまみ１４３が各外部接続端子１４２にそれぞれ対向して貫挿され、各つまみ１４３は各対毎に色分けされている。
　　【００９５】
　４対の外部接続端子１４２には当り情報出力用の１対の外部リード線と、発射装置制御入力用の１対の外部リード線と、ガラス扉枠開放情報出力用の１対の外部リード線と、球切れ情報出力用の１対の外部リード線とがそれぞれ接続される。
　　【００９６】
　上記した構成を有するパチンコ機では、表示灯２９，３０がセットされたランプ基板２８が前枠２の裏面に取付けられ、ランプ基板２８から引出された配線を前枠２の後側で接続する配線作業の作業性が向上するとともに、表示灯２９，３０およびランプ基板２８が、ランプ基板２８をその後側から覆うカバー板４７と、表示灯２９，３０をその前側から覆うランプカバ−１０との間に挟まれた状態で設置され、表示灯２９，３０およびランプ基板２８がカバ−板４７とランブカバ−１０とによって保護されて表示灯２９，３０およびランプ基板２８と他物との接触が防止される。
　　【００９７】
　上記実施例によれば、ランプ基板２８が前枠２の裏側に設置されるので、ランプ基板２８から引出された配線をパチンコ機の裏側に設置される制御装置等に接続する配線作業を前枠２の裏側で簡単に行うことができ、ランプ基板２８の配線を前枠２の前側から裏側へ引き出す煩雑な作業が不要となり、ランプ基板２８の配線作業を簡易化および能率化してその作業性を良化することができる。
　また、ランプ基板２８がその後側の近傍位置に設置されたカバ−板４７によって覆われるのでランプ基板２８の結線部をカバー板４７にって的確に防護することができ、賞球用通路からあふれてこぼれ落ちたパチンコ球等の他物からランプ基板２８の結線部に接触して回路がショートする不具合を未然に防ぐことができる。
　また、本例では、基板２２を前枠２に組付けると、ランプ基板２８およびこのランプ基板２８に取付けられた複数個の表示灯２９，３０がその後側および前側をカバ−板４７およびランプカバ−１０によって的確に覆った状態で各表示等２９，３０およびランプ基板２８が遊技盤２４の上方に設置されるので、各表示灯２９，３０およびランプ基板２８をランプカバ−１０およびカバ−板４７によって保護して衝突作用等から防護した状態で基枠２２への部品の組付け作業やパチンコ機の組立て作業を行うことができ、パチンコ機の組立て作業中にランプ基板２８や表示灯２９，３０が損傷する不具合を解消することができる。
【図面の簡単な説明】
　【図１】
　本発明の一実施例を示すもので、ベース板の上端部の裏面図である。
　【図２】
　球切れストッパ付近の斜視図である。
　【図３】
　賞品球ケース内上部の裏面図である。
　【図４】
　遊技機の分解斜視図である。
　【図５】
　遊技機の正面図である。
　【図６】
　前枠および基枠の裏面図である。
　【図７】
　発射レール付近の拡大正面図である。
　【図８】
　図７のＸ１−Ｘ１線拡大断面図である。
　【図９】
　図５のＸ２−Ｘ２線拡大断面図である。
　【図１０】
　図６のＸ３−Ｘ３線拡大断面図である。
　【図１１】
　ベース板の下部の裏面図である。
　【図１２】
　払出し球数設定および賞品球払出し機構の裏面図である。
　【図１３】
　同じく斜視図である。
　【図１４】
　外昇降板付近の斜視図である。
　【図１５】
　賞品球払出し制御機構の裏面図である。
　【図１６】
　図１のＸ５−Ｘ５線拡大断面図である。
　【図１７】
　電気回路図である。
　【符号の説明】
　５０　ベース板
　５６　タンクレール（作動部材）
　６０　スイッチ押え（作動部材）
　７８，７９　球切れストッパ（作動部材）
　９５　外昇降板（作動部材）
　１０３　放出弁（作動部材）
　１０６　球抜き弁（作動部材）
　５８Ａ，６１Ａ，８１Ａ，８３Ａ，１０２Ａ，１０４Ａ，１０７Ａ　非作動マーク
　５８Ｂ，６１Ｂ，８１Ｂ，８３Ｂ，１０２Ａ，１０４Ｂ，１０７Ｂ　作動マーク